(57)【要約】【課題】少なくとも２つのカップ部、バスト部におけるバック部、およびカップ部から肩部をまたがってバック部へ延びるストラップ部を有するフロントオープンタイプのカップ部を有する衣類において、着脱が容易で、胸部の苦しさや暑さを感じたときや、病院での診察時などに、バストの造形力の大きな低下や着崩れを起こすことなく、簡単にアンダーバスト部の連結を解除して、緩めることができる衣類を提供する。【解決手段】左右のバストトップ部を結んだ線の下側のフロント部に設けられた第１の連結部材と、第１の連結部材より下側のフロント部の、カップ部下部のアンダーバスト部近傍、あるいはアンダーバスト部に設けられた第２の連結部材によって、フロント部においてカップ部を互いに着脱可能に連結する。【選択図】図１
2006045741.tif 000002
【特許請求の範囲】
【請求項１】
少なくとも２つのカップ部、バスト部におけるバック部、およびカップ部から肩部をまたがってバック部へ延びるストラップ部を有するフロントオープンタイプのカップ部を有する衣類であって、前記カップ部は、左右のバストトップ部を結んだ線の下側のフロント部に設けられた第１の連結部材と、該第１の連結部材より下側のフロント部の、カップ部下部のアンダーバスト部近傍、あるいはアンダーバスト部に設けられた第２の連結部材によって、フロント部において互いに着脱可能に連結してなることを特徴とするカップ部を有する衣類。
【請求項２】
非着用状態で、前記第１の連結部材が、左右のバストトップ部を結んだ線の下側５〜３０ｍｍの範囲にあることを特徴とする請求項１記載のカップ部を有する衣類。
【請求項３】
前記第１の連結部材の設けられた位置から水平方向に伸びる線とフロント部中心線の交点となる位置を支点として、左右のカップ部のフロント部側上辺が形成するＶ字形状の、Ｖ字角度が９０度以内であることを特徴とする請求項１または２に記載のカップ部を有する衣類。
【請求項４】
前記第１および第２の連結部材が、少なくとも一方のカップ部あるいはアンダーバスト部に取り付けられた、糸状物、紐状物、細幅テープ状物から選ばれた部材と、該部材、カップ部、あるいはアンダーバスト部のいずれかに取り付けられた互いに係止する一対の係止部材から主としてなることを特徴とする請求項１乃至３のいずれか一項に記載のカップ部を有する衣類。
【請求項５】
ブラジャー、ブラスリップ、トップス、ブラキャミソール、ボディスーツ、カップ部付きテディ、水着から選ばれた衣類であることを特徴とする請求項１乃至４のいずれか一項に記載のカップ部を有する衣類。
【請求項６】
カップ部、あるいはアンダーバスト部の下側に少なくともウェスト近傍まで延在する胴部を有する衣類であることを特徴とする請求項１乃至４のいずれか一項に記載のカップ部を有する衣類。
【請求項７】
前記胴部が、カップ部あるいはアンダーバスト部の下側に連なって取り付けられ、かつフロント部で左右に開放可能であることを特徴とする請求項６に記載のカップ部を有する衣類。
【請求項８】
ブラスリップあるいはブラキャミソールであることを特徴とする請求項７に記載のカップ部を有する衣類。
【請求項９】
前記胴部が、カップ部あるいはアンダーバスト部の下側のフロント部に、少なくとも第２の連結部材取り付け位置よりも脇側に及ぶ開口部を有して、カップ部あるいはアンダーバスト部の下側に連なって取り付けられていることを特徴とする請求項６に記載のカップ部を有する衣類。
【請求項１０】
前記胴部が、カップ部あるいはアンダーバスト部の下側に開口部を有し、バック部の下側の一部あるいは全部に連なって取り付けられていることを特徴とする請求項６に記載のカップ部を有する衣類。
【請求項１１】
トップス、ブラスリップ、ブラキャミソール、ボディスーツ、カップ部付きテディ、水着から選ばれた衣類であることを特徴とする請求項９または１０に記載のカップ部を有する衣類。
【発明の詳細な説明】
【技術分野】
【０００１】
本発明は、フロントオープンタイプのカップ部を有する衣類に関し、詳しくは、着用時に、フロント部の連結状態を変更して下部を緩めることが可能で、かつ着崩れが少ない前記カップ部を有する衣類に関する。
【背景技術】
【０００２】
高齢者など、身体の自由が利きにくい場合や、補正用衣類の扱いに慣れないティーンエイジャーの場合、ブラジャーなどのカップ部を有する衣類はフロントオープンタイプの方が扱いやすい。
【０００３】
高齢者は、加齢により前屈みの姿勢になり、通常でも内臓が圧迫されて食道や胃に不快感を有することが多く、また、アンダーバスト部から腹部にかけて脂肪がついているため、ブラジャーなどで胃部を締め付けられると不快感や窮屈感が大きくなることが多い。また、皮膚が過敏になり、乳房が下垂しているため、アンダーバスト部が蒸れてかぶれるなどのトラブルも多い。
【０００４】
ティーンエイジャーも、バスト部の発達が未完成であり、アンダーバスト部を強く締め付けると不快感を催すことがある。
【０００５】
また、長時間の着用などにより胸部の苦しさや暑さを感じたときや、病院での診察時などには、カップ部の連結をはずして緩めたいが、フロントホックなど１箇所で連結しているブラジャーは、連結の解除により造形力は失われ、連結を元に戻すのも難しくなる。
【０００６】
着脱が容易で、締め付けが強くないフロントオープンタイプのカップ部を有する衣類としては、例えば高齢者と同様に着用感を重視したベストタイプのマタニティー用ブラジャーや、それに類する形状の高齢者用ブラジャーが提案されている（下記特許文献１参照）。
【０００７】
さらに、アンダーバスト部の締め付け力を調整可能にしたブラジャーが提案されている（下記特許文献２〜５参照）。
【特許文献１】実用新案登録第２５３３２９０号公報
【特許文献２】特許第３０６４９３６号公報
【特許文献３】実用新案出願公告昭３６−２００３４号公報
【特許文献４】特開２００２−２４９９０１公報
【特許文献５】特開２００２−２１２８０５公報
【発明の開示】
【発明が解決しようとする課題】
【０００８】
ところが、従来のベストタイプのブラジャーは、着用感を重視しているため、バストの造形力には乏しい。しかも、胸部の苦しさや暑さを感じたときや、病院での診察時などに、カップ部の下部の連結をはずして緩めると、カップ部が安定せず、バストの造形力が低下して着崩れを起こすという問題があった。
【０００９】
図３に従来の高齢者やティーンエイジャー向けのカップ部を有する衣類であるブラジャーの代表例の正面図を示す。
【００１０】
図３のブラジャーは、２つのカップ部１２、バスト部におけるバック部１３、およびカップ部１２から肩部１５をまたがってバック部１３へ延びるストラップ部１４を有するフロントオープンタイプのブラジャーである。カップ部１２は、フロント部１６において、スナップ形式の３つの連結具１７により互いに着脱可能に連結してなるが、フロント部１６の上下の幅が広いために、最も上の連結具は、左右のバストトップ部を結んだ線Ａ上若しくは線Ａの上側に配置される。
【００１１】
胸部の苦しさや暑さを感じたときや、病院での診察時などに、カップ部の下部の連結をはずして緩めると、図４に示すように、カップ部が安定せず、バストの造形力が低下して着崩れを起こしていた。
【００１２】
アンダーバスト部の締め付け力を調整可能にしたブラジャーの場合も、アンダーバスト部を緩めることは可能だが、調整が細かい作業となって手軽に行えず、また、カップ部の下部の連結を完全にはずすと、図３のブラジャーと同様にカップ部が安定せず、バストの造形力が低下して着崩れを起こすという問題があった。
【００１３】
本発明は、着脱が容易で、胸部の苦しさや暑さを感じたときや、病院での診察時などに、バストの造形力の大きな低下や着崩れを起こすことなく、簡単にアンダーバスト部の連結を解除して、緩めることができるカップ部を有する衣類を提供することを目的とする。
【課題を解決するための手段】
【００１４】
上記の課題を解決するために、本発明は、次の様なカップ部を有する衣類を提供するものである。
（１）少なくとも２つのカップ部、バスト部におけるバック部、およびカップ部から肩部をまたがってバック部へ延びるストラップ部を有するフロントオープンタイプのカップ部を有する衣類であって、前記カップ部は、左右のバストトップ部を結んだ線の下側のフロント部に設けられた第１の連結部材と、該第１の連結部材より下側のフロント部の、カップ部下部のアンダーバスト部近傍、あるいはアンダーバスト部に設けられた第２の連結部材によって、フロント部において互いに着脱可能に連結してなることを特徴とするカップ部を有する衣類。
【００１５】
（２）非着用状態で、前記第１の連結部材が、左右のバストトップ部を結んだ線の下側５〜３０ｍｍの範囲にあることを特徴とする（１）項に記載のカップ部を有する衣類。
【００１６】
（３）前記第１の連結部材の設けられた位置から水平方向に伸びる線とフロント部中心線の交点となる位置を支点として、左右のカップ部のフロント部側上辺が形成するＶ字形状の、Ｖ字角度が９０度以内であることを特徴とする（１）または（２）項に記載のカップ部を有する衣類。
【００１７】
（４）前記第１および第２の連結部材が、少なくとも一方のカップ部あるいはアンダーバスト部に取り付けられた、糸状物、紐状物、細幅テープ状物から選ばれた部材と、該部材、カップ部、あるいはアンダーバスト部のいずれかに取り付けられた互いに係止する一対の係止部材から主としてなることを特徴とする（１）〜（３）のいずれか一項に記載のカップ部を有する衣類。
【００１８】
（５）ブラジャー、ブラスリップ、トップス、ブラキャミソール、ボディスーツ、カップ部付きテディ、水着から選ばれた衣類であることを特徴とする（１）〜（４）のいずれか一項に記載のカップ部を有する衣類。
【００１９】
（６）カップ部、あるいはアンダーバスト部の下側に少なくともウェスト近傍まで延在する胴部を有する衣類であることを特徴とする（１）〜（４）のいずれか一項に記載のカップ部を有する衣類。
【００２０】
（７）前記胴部が、カップ部あるいはアンダーバスト部の下側に連なって取り付けられ、かつフロント部で左右に開放可能であることを特徴とする（６）項に記載のカップ部を有する衣類。
【００２１】
（８）ブラスリップあるいはブラキャミソールであることを特徴とする（７）項に記載のカップ部を有する衣類。
【００２２】
（９）前記胴部が、カップ部あるいはアンダーバスト部の下側のフロント部に、少なくとも第２の連結部材取り付け位置よりも脇側に及ぶ開口部を有して、カップ部あるいはアンダーバスト部の下側に連なって取り付けられていることを特徴とする（６）項に記載のカップ部を有する衣類。
【００２３】
（１０）前記胴部が、カップ部あるいはアンダーバスト部の下側に開口部を有し、バック部の下側の一部あるいは全部に連なって取り付けられていることを特徴とする（６）項に記載のカップ部を有する衣類。
【００２４】
（１１）トップス、ブラスリップ、ブラキャミソール、ボディスーツ、カップ部付きテディ、水着から選ばれた衣類であることを特徴とする（９）または（１０）項に記載のカップ部を有する衣類。
【発明の効果】
【００２５】
本発明のカップ部を有する衣類は、カップ部をフロント部において２つの連結部材により着脱可能に連結し、しかも上側の連結部材を特定位置、即ち左右のバストトップ部を結んだ線の下側に配置することにより、着脱が容易で、胸部の苦しさや暑さを感じたときや、病院での診察時などに、下側の連結部材の連結を解除して、着用状態のまま、簡単にアンダーバスト部を緩めることができる一方で、バストの造形力の大きな低下や着崩れも起こさず、良好な着用感を得ることができる。
【発明を実施するための最良の形態】
【００２６】
以下、図面を用いて、本発明を詳細に説明するが、本発明は下記の実施形態に限定されるものではない。
【００２７】
［実施形態１］
図１は、本発明の実施形態の一例であるブラジャーの構成を示す正面図である。図１におけるブラジャー１は、２つのカップ部２、バスト部におけるバック部３、およびカップ部２から肩部５をまたがってバック部３へ延びるストラップ部４、カップ部下側に設けられたアンダーバスト部９を有するフロントオープンタイプのブラジャーである。カップ部２は、フロント部６において、２つの連結部材により互いに着脱可能に連結される。上側の第１の連結部材７は、左右のバストトップ部を結んだ線Ａの下側に配置され、下側の第２の連結部材８は、前記第１の連結部材より下側のアンダーバスト部９に配置され、一方のカップ部下側のアンダーバスト部から延設された舌片１０の先端部と、該先端部の重なり合う他方のカップ部下側のアンダーバスト部に取り付けられている。第１の連結部材を、左右のバストトップ部を結んだ線の下側に配置することにより、第２の連結部材の連結を解除した際にも、フロント部下部カップ部間の開きが小さくなり、バストの造形力の低下や着崩れが少なくなる。
【００２８】
図７に、図１のブラジャーの、連結部材連結時にフロント部が下側となる方のカップ部を裏側から見た状態を示す。第１および第２の連結部材が、図１に示すブラジャー１のようにカップ部の表側に取り付けられている場合などは、図７に示されるように、カップ部のフロント部側に、布片を連接して取り付け、第２の連結部材の連結を緩めても肌が直接見えにくく、フロント部の着用感を向上させるようにしても良い。図１に示すブラジャー１においては、布片は、カップ部間に亘るように、アンダーバスト部がフロント部に延びた構成となっている。
【００２９】
本発明において、第２の連結部材は、第１の連結部材より下側のフロント部の、カップ部下部のアンダーバスト部近傍、あるいはアンダーバスト部に設けるが、アンダーバスト部に配置することにより、よりカップ部を安定的に保持できる。
【００３０】
本発明において、第１の連結部材は、非着用状態で、左右のバストトップ部を結んだ線の下側５〜３０ｍｍの範囲にある場合に、本発明の作用がより効果的に発現する。
【００３１】
さらに、図１におけるブラジャー１は、前記第１の連結部材の設けられた位置から水平方向に伸びる線（図1中線B）とフロント部中心線（図1中線C）の交点となる位置を支点として、左右のカップ部のフロント部側上辺が形成するＶ字形状の、Ｖ字角度（図中、線Ｘ１、Ｘ２のなす角Ｒで示される。）が９０度以内である。なお、本発明において上記Ｖ字形状（図中、線Ｘ１、Ｘ２）は、それぞれ左右のカップ部のフロント部側上辺にほぼ沿うものとする。上記Ｖ字角度を９０度以内とする、即ち、カップ部の上部が着用時の鎖骨に向かって縦長の形状となり、ストラップ位置が前中心寄りとなることにより、図２に示すように、第１の連結部材７の設けられた位置から水平方向に伸びる線とフロント部中心線の交点となる位置を支点として、それぞれ上記線Ｘ１、Ｘ２方向へカップ部２を引っ張る力（図中矢印ｘで示される。）が働き、第２の連結部材８の連結を解除した際にもフロント部下部のカップ部間の開きがさらに小さくなり、バストの造形力の低下や着崩れがより少なくなる。従って、本発明においては、前記第１の連結部材の設けられた位置から水平方向に伸びる線とフロント部中心線の交点となる位置を支点として、左右のカップ部のフロント部側上辺が形成するＶ字形状のＶ字角度を９０度以内とするのが好ましい。
【００３２】
図１のブラジャー１に使用されている第１の連結部材および第２の連結部材の具体的な構成は、図５のような構成である。図５（ａ）〜（ｄ）に第１の連結部材７を示す。図５（ａ）は、連結部材７の連結した状態で正面側から見た拡大図である。連結部材７はブラジャー１の一方のカップ部に取り付けられた部材７ａと、他方のカップ部表側に取り付けられた部材７ｂとからなる。部材７ａ、７ｂは、図５（ｂ）、（ｃ）に示すように、細幅テープ状物７１、７７と、互いに係止する一対の係止部材７２、７８とから構成される。係止部材７２は、貫通孔７５を形成する環状部７３と、環状部７３と後述の係止部材７８における舌状部７９との係合時に舌状部７９を押さえて確実に係合させるための板状部７４と、細幅テープ状物７１を通す貫通孔７６を備える。細幅テープ状物７１は係止部材７２の貫通孔７６に嵌挿された後、輪状に折り返され、両端部をブラジャー１の一方のカップ部２に縫合して固着され、係止部材７２と共に連結部材の部材７ａを構成する。係止部材７８は、板状の小片８０上に形成された前述の舌状部７９と、細幅テープ状物７７を通す貫通孔８１、８２を備える。細幅テープ状物７７は貫通孔８１を通り、小片８０の裏側から貫通孔８２に嵌挿された後、輪状に折り返され、両端部をブラジャー１の他方のカップ部２に縫合して固着され（縫合部７７）、係止部材７８と共に連結部材の部材７ｂを構成する。小片８０上に形成された舌状部７９は、図５（ｄ）に示すように、側面方向（図５（ｃ）中、矢印Ｂ方向）から見ると小片８０から立ち上がるように形成され、係止部材７２における環状部７３と係合し、板状部７４に押さえられることによって係合が行われる。なお、部材７ａ、７ｂを連結時に連結状態が安定するよう部材７ｂの細幅テープ状物７７は、縫合部８３，８４によってもブラジャー１の他方のカップ部２に固着されている。
【００３３】
第２の連結部材８において、ブラジャー１の一方のカップ部に取り付けられた部材は、上記第１の連結部材における部材７ａと同様の形状であるが、他方のカップ部下側のアンダーバスト部表側に取り付けられた部材は図５（ｅ）に示す部材８ｂの様な形状である。即ち、部材８ｂは細幅テープ状物９１と係止部材９０とから構成され、係止部材９０は、板状の小片９２上に形成された２つの舌状部９３、９４と、細幅テープ状物９１を通す貫通孔９５、９６を備える。細幅テープ状物９１は貫通孔９５を通り、小片９２の裏側から貫通孔９６に嵌挿された後、輪状に折り返され、ブラジャー１のアンダーバスト部９に、縫合部９７、９８、９９において縫合して固着され、係止部材９０と共に連結部材の部材８ｂを構成する。小片９２上に形成された舌状部９３、９４は、部材７ｂにおける舌状部７９と同様に、側面方向から見ると小片９２から立ち上がるように形成され、係止部材７２および７８と同様に係合が行われる。舌状部が２箇所あることにより、いずれの舌状部を係合に用いるか選択して、着用状態を調節することができる。本発明において、係止部材に設ける舌状部の個数は、さらに多く３個以上であっても良く、第１および第２の連結部材のいずれも舌状部が複数設けられた係止部材を使用しても、舌状部が１個のみの係止部材を使用しても良い。特に、上記実施形態のように、第２の連結部材において、舌状部が複数設けられた係止部材を使用するのが、着用者の体型や、体調に応じて調節できて好ましい。本発明のカップ部を有する衣類は、第１の連結部材を、左右のバストトップ部を結んだ線の下側に配置することにより、第２の連結部材の連結位置を変更しても、フロント部下部カップ部間の開きが小さくなり、バストの造形力の低下や着崩れが少なくなる。
【００３４】
本発明において、第１および第２の連結部材の構成は、本発明の作用を損なわない範囲で特に限定されず、上記実施形態に示されるような連結部材の他に、上記実施形態と同様の細幅テープ状物と他の構成の係止部材の組み合わせ、例えば図６（ａ）に示されるような雄型ホックと複数の雌型ホックの組み合わせ、図６（ｂ）に示されるような鈎状部材と、該鈎状部材と係止可能に輪状部分を形成した、あるいは輪状部分が形成されるようカップ部に固着された細幅テープ状物の組み合わせ、他に、一対の面状ファスナー、ボタンと細幅テープ状物あるいはカップ部に設けられたボタンホール、スナップ部材などであっても良い。さらに、細幅テープ状物は、糸状物、紐状物などであってもよく、さらには、図５のように一対の係止部材がいずれも細幅テープ状物などによって間接的にカップ部あるいはアンダーバスト部に取り付けられても、一方あるいは両方が直接カップ部あるいはアンダーバスト部に取り付けられていても良い。
【００３５】
図８、図９に、本発明の他の実施形態を示す。図８は、カップ部の下側にアンダーバスト部がなく、上記実施形態１における第１の連結部材７と同様の形態の連結部材を第１の連結部材７’、第２の連結部材８’として使用し、第２の連結部材８’をカップ部下部のアンダーバスト部近傍に取り付けてなるブラジャーの正面図、図９は、第１、第２の連結部材として、ボタン７’’，８’’がカップ部に直接取り付けられているブラジャーの正面図である。なお、図８、９において、図１のブラジャーの示した態様と同一の部分には、同一の符号を付し、重複説明を省略する。これらの部材の取り付け方法は、部材の素材や形状に応じて適宜選択でき、縫合、接着、熱融着、取り付け部材による方法などが挙げられる。なお、高齢者など身体の自由が利きにくい場合には、図５のように係止部材の両方あるいは一方に細幅テープ状物等を組み合わせて、カップ部の表側に連結部材が表出している構成が取り扱いやすいため好ましく、係止部材も指先に比して大きめのサイズのものや、図５の係止部材のように係合が簡単なものが好ましい。また、これらの連結部材を形成する素材については特に限定されない。
【００３６】
図１におけるブラジャー１は、カップ部２下側にアンダーバスト部９が取り付けられているが、デザイン状の都合などから、図８に示すように一部あるいは全部のアンダーバスト部がない形状であっても良い。
【００３７】
本発明において、上記構成以外のカップ部を有する衣類の構成は、特に限定されず、その形状、素材、製造方法等は本発明の作用を阻害しない範囲で、通常一般のカップ部を有する衣類と同様に構成され、例えばワイヤーやボーン等の他の構成を有していても良い。
【００３８】
本発明のカップ部を有する衣類として、具体的には、上記実施形態のようなブラジャーの他に、ブラジャー、トップス、ブラスリップ、ブラキャミソール、ボディスーツ、カップ部付きテディ、水着等が挙げられる。本発明のカップ部を有する衣類は、カップ部、あるいはアンダーバスト部の下側に、ウェスト近傍あるいは更にその下側まで延在する胴部を有していても良いが、第２の連結部材の連結を解除して、アンダーバスト部を緩める際に、その作用を阻害しないような構成である必要がある。そのような構成として、例えば、（イ）胴部が、カップ部あるいはアンダーバスト部の下側に連なって取り付けられ、かつフロント部で左右に開放可能なカップ部を有する衣類、（ロ）胴部が、カップ部あるいはアンダーバスト部の下側のフロント部に、少なくとも第２の連結部材取り付け位置よりも脇側に及ぶ開口部を有して、カップ部あるいはアンダーバスト部の下側に連なって取り付けられているカップ部を有する衣類、（ハ）胴部が、カップ部あるいはアンダーバスト部の下側に開口部を有し、バック部の下側の一部あるいは全部に連なって取り付けられているカップ部を有する衣類が挙げられる。具体的には、上記（イ）としてブラスリップあるいはブラキャミソール、上記（ロ）、（ハ）としてトップス、ブラスリップ、ブラキャミソール、ボディスーツ、カップ部付きテディ、水着が挙げられる。
【００３９】
図１０〜１３に本発明のカップ部を有する衣類の別の実施形態を示す。図１０は、トップスの実施形態例の正面図、図１１は、ブラキャミソールの実施形態例の正面図、図１２は、ボディスーツの実施形態例の正面図、図１３は、カップ部付きテディの実施形態例の正面図であり、いずれも胴部（図中、符号３０、３２、３３，３５で示される。）を有する形状である。なお、図１のブラジャーの示した態様と同一の部分には、同一の符号を付し、重複説明を省略している。具体的には、図１０のトップス、図１２のボディスーツ、図１３のカップ部付きテディは、少なくともフロント部のカップ部あるいはアンダーバスト部の下側に開口部（図中、符号３１、３４，３６で示される。）を有する構成である。図１０のトップスは、胴部３０が、アンダーバスト部９の下側のフロント部に、第２の連結部材取り付け位置よりも脇側に及ぶ開口部３１を有し、アンダーバスト部９の下側に連なって取り付けられている。図１３のカップ部付きテディも、胴部３５が、カップ部２の下側のフロント部に、第２の連結部材取り付け位置よりも脇側に及ぶ開口部３６を有し、カップ部２の下側に連なって取り付けられている。図１２のボディスーツは、胴部３３が、アンダーバスト部９の下側に開口部３４を有し、バック部３の下側の一部、即ちバック部３の脇部のみに連なって取り付けられている。図１１のブラキャミソールは、胴部３２が、アンダーバスト部９の下側に連なって取り付けられ、かつフロント部で左右に開放可能な構成である。
【産業上の利用可能性】
【００４０】
本発明のカップ部を有する衣類は、上述のように、着脱が容易で、胸部の苦しさや暑さを感じたときや、病院での診察時などに、下側の連結部材の連結を解除して、着用状態のまま、簡単にアンダーバスト部を緩めることができる一方で、バストの造形力の大きな低下や着崩れも起こさず、良好な着用感を得ることができるので、適度なバストの造形力と共に着心地を重視する使用者向けとして有用であり、特に、高齢者など、身体の自由が利きにくい使用者や、補正用衣類の扱いに慣れないティーンエイジャー向け、着用感や取り扱い性の良さが重要なマタニティ用として有用に用いられる。
【図面の簡単な説明】
【００４１】
【図１】本発明のカップ部を有する衣類であるブラジャーの実施形態例の正面図。
【図２】図１のブラジャーを着用した状態での作用を示す説明図。
【図３】従来のカップ部を有する衣類であるブラジャーの形態例の正面図。
【図４】図３のブラジャーを着用した状態を示す説明図。を示す部分図。
【図５】（ａ）図１のブラジャーに使用される第１の連結部材を連結した状態で正面側から見た拡大図。（ｂ）図５（ａ）の連結部材における一対の係止部材の連結を解除した状態で一方の部材を正面側から見た拡大図。（ｃ）図５（ａ）の連結部材における一対の係止部材の連結を解除した状態で他方の部材を正面側から見た拡大図。（ｄ）図５（ｃ）の部材に使用される係止部材を図５（ｃ）における矢印Ｂ方向から見た拡大図。（ｅ）図１のブラジャーに使用される第２の連結部材における係止部材の一方の部材を正面側から見た拡大図。
【図６】（ａ）本発明のカップ部を有する衣類に使用される連結部材の他の例を連結を解除した状態で前面側から見た拡大図。（ｂ）本発明のカップ部を有する衣類に使用されうる連結部材の更に他の例を連結を解除した状態で前面側から見た拡大図。
【図７】図１のブラジャーの、連結部材連結時にフロント部が下側となる方のカップ部を裏側から見た状態を示す説明図。
【図８】本発明のカップ部を有する衣類であるブラジャーの別の実施形態例の正面図。
【図９】本発明のカップ部を有する衣類であるブラジャーの更に別の実施形態例の正面図。
【図１０】本発明のカップ部を有する衣類であるトップスの実施形態例の正面図。
【図１１】本発明のカップ部を有する衣類であるブラキャミソールの実施形態例の正面図。
【図１２】本発明のカップ部を有する衣類であるボディスーツの実施形態例の正面図。
【図１３】本発明のカップ部を有する衣類であるカップ部付きテディの実施形態例の正面図。
【符号の説明】
【００４２】
１  ブラジャー
２  カップ部
３  バック部
４  ストラップ部
５  肩部
６  フロント部
７  第１の連結部材
８  第２の連結部材
９  アンダーバスト部
１０  舌片
Ａ  左右のバストトップ部を結んだ線
Ｂ  第1の連結部材の設けられた位置から水平方向に伸びる線
Ｃ  フロント部中心線
Ｘ１、Ｘ２  左右のカップ部のフロント部側上辺が形成するＶ字形状をなす線
Ｒ  左右のカップ部のフロント部側上辺が形成するＶ字形状のＶ字角度
【図１】
2006045741.tif 000003
【図２】
2006045741.tif 000004
【図３】
2006045741.tif 000005
【図４】
2006045741.tif 000006
【図５】
2006045741.tif 000007
【図６】
2006045741.tif 000008
【図７】
2006045741.tif 000009
【図８】
2006045741.tif 000010
【図９】
2006045741.tif 000011
【図１０】
2006045741.tif 000012
【図１１】
2006045741.tif 000013
【図１２】
2006045741.tif 000014
【図１３】
2006045741.tif 000015